(57)【要約】【課題】プロテクタを衣類に対して縫製したものでは、身体の保護場所が衣類の形状によって固定されてしまい、それを改善すべく収納部を設けてプロテクタを着脱自在としたプロテクタは、保護部位を十分に考慮していなかったり、体型の個人差を考慮していないことから、身体の保護効果が低いものであった。【解決手段】人体の上半身に着用されるプロテクタを装着した保護胴衣であって、前記プロテクタは、少なくとも人体の脊椎を垂直方向に沿って保護する第１のプロテクタと、該第１のプロテクタの下縁に隣接して別体に設けられると共に臀部近傍を保護する第２のプロテクタとで構成されている。第１のプロテクタの下縁は、人体の直立状態で水平方向に略直線状の縁部を形成すると共に中央部を下方に突出させて形成されると共に、第２のプロテクタの上縁は、人体の直立状態で水平方向に略直線状の縁部を形成すると共に中央部を前記第１のプロテクタの突出部分と形状的に噛み合う状態で凹陥させて形成する。【選択図】図１
2006257615.tif 000002
【特許請求の範囲】
【請求項１】
人体の上半身に着用されるプロテクタを装着した保護胴衣であって、前記プロテクタは、少なくとも人体の脊椎を垂直方向に沿って保護する第１のプロテクタと、該第１のプロテクタの下縁に隣接して別体に設けられると共に臀部近傍を保護する第２のプロテクタとで構成されていることを特徴とする保護胴衣のプロテクタ。
【請求項２】
前記第１のプロテクタの下縁は、人体の直立状態で水平方向に略直線状の縁部を形成すると共に中央部を下方に突出させて形成されると共に、第２のプロテクタの上縁は、人体の直立状態で水平方向に略直線状の縁部を形成すると共に中央部を前記第１のプロテクタの突出部分と形状的に噛み合う状態で凹陥させて形成したことを特徴とする請求項１記載の保護胴衣。
【請求項３】
前記第１のプロテクタの下縁と第２のプロテクタの上縁との分離部分を軸として下部プロテクタが胴衣の上方向に折り込み且つ係止できることを特徴とする請求項１及び請求項２に記載の保護胴衣。
【請求項４】
前記第１のプロテクタは、左右方向に人体の腰部を保護する第３のプロテクタが延設されていることを特徴とする請求項１乃至請求項３記載の保護胴衣。
【請求項５】
前記第１のプロテクタの下縁中央部の突出部位は、尾骨を覆う位置で且つ適宜な形状で形成されていることを特徴とする請求項１乃至請求項４記載の保護胴衣。
【請求項６】
前記第１のプロテクタ乃至第３のプロテクタは、ブロック状の緩衝材を連続して一体的に形成することで緩衝材の接合部位をヒンジとして形状を変化させることが可能であることを特徴とする請求項１乃至請求項５記載の保護胴衣。
【請求項７】
人体の上半身に着用される保護胴衣に使用されるプロテクタであって、前記プロテクタは、少なくとも人体の脊椎を垂直方向に沿って保護する第１のプロテクタと、該第１のプロテクタの左右方向に設けられ且つ腰部を保護する第３のプロテクタとで構成されると共に、前記第１のプロテクタと第３のプロテクタは分離状態で且つ連続的に配置されるように保形される伸縮性を有する帯状部材に取り付けられると共に、該帯状部材の左右の先端部分には、垂直方向に延設された衣類への取付片が形成されていることを特徴とする保護胴衣のプロテクタ。
【請求項８】
人体の上半身に着用される保護胴衣に使用されるプロテクタであって、前記プロテクタは、少なくとも人体の脊椎を垂直方向に沿って保護する第１のプロテクタと、該第１のプロテクタの下縁に隣接して別体に設けられると共に臀部近傍を保護する第２のプロテクタとで構成されていると共に、前記第１のプロテクタと第２のプロテクタは分離状態で且つ連続的に配置されるように保形される伸縮性を有する帯状部材に取り付けられると共に、隣接するプロテクタの一方側の隅部へ切欠を設けることで、プロテクタを垂直面内の回動を可能としたことを特徴とする保護胴衣のプロテクタ。
【請求項９】
前記各プロテクタには通気用の孔が設けられていることを特徴とする請求項１乃至請求項８に記載の保護胴衣のプロテクタ。
【発明の詳細な説明】
【技術分野】
【０００１】  本発明は、主にスキー、スケート、スノーボード、自転車、オートバイ等の転倒や打撃の可能性がある各種のスポーツ等で使用したり、日常生活においても有益な保護胴衣に関する。
【背景技術】
【０００２】  従来より、各種のスポーツ競技を行う人は転倒した時に備えて防具であるプロテクタを身につけることが知られている。これらのプロテクタの多くは、プロテクタ単体を上着の下で身体に直接、装着するか、または、衣類に埋め込んで縫製した衝撃を吸収する柔軟性のある発泡体や、綿等のような緩衝材から構成されている。【０００３】  特許文献１に記載の国際公開番号ＷＯ９９／０４６６１号公報には、身体に直接取り付けるオートバイ搭乗者用の背部プロテクタが開示されている。このプロテクタは、オートバイ搭乗者の体に固定させるための手段を備えている二つの垂直線上に並んでいる支持体から成ることを特徴とし、支持体はそれぞれ、そこに固定された十分に硬いエレメントの複数個を収容し、下部の支持体はピンで上部の支持体に接続されるという構造のもので、とりわけ、脊髄から成る脊柱部の最善の保護を達成するために、脊椎の胸脊椎（１２番目まで）と腰脊椎の最初の二つから成る脊髄、つまり平均身長の個人ではウェストラインから数センチ上に到る位置までを含む連続した形状で、身体にフィットさせている（特許文献１参照）。【０００４】  一方、身体側ではなく、衣類に縫製させたタイプのプロテクタとしては、例えば、特許文献２に記載の実開平０５−０４６９０６号公報に開示されている衣服等が知られている。これらは、自転車やオートバイに乗るときに、容易にプロテクタを装着でき、また、自転車やオートバイに乗らないときは、このプロテクタに代えてパッド等を容易に装着することができるので、着ごこちやファッション性を向上させることができ、しかも、安全性にも優れ経済的とされていおり、上衣の肩口と袖の関節部位及び／または下衣の関節部位と腰部裏面側に、可撓性を有するプロテクタが着脱自在に収納される収納部を形成したことを特徴としている。（特許文献２参照）
【特許文献１】国際公開番号ＷＯ９９／０４６６１号公報
【特許文献２】実開平０５−０４６９０６号公報
【発明が解決しようとする課題】
【０００５】  ところが、前述のプロテクタの装着構造では、前者の場合、臀部へ硬質のプロテクタが延設されていることから、オートバイや自転車等に搭乗していない歩行状態では、運動に際しての違和感が少ないないものの、搭乗時には、臀部付近でプロテクタの存在が違和感を与えるため、快適性を損なうという問題がある。
【０００６】  また、最近では、この種の保護具をスポーツ競技やその練習等の際に着用するだけでなく、日常生活での危険性を回避するために、普段からオートバイや自転車に搭乗する場合にも使用したいといった需要が生まれており、前記のプロテクタの如く、衣類とは別に装着する構造は、不便であり普及しがたい等の問題点が指摘されている。
【０００７】  一方、後者のプロテクタは、衣類と一体になっているものの、プロテクタを衣類に対して縫製したものでは、身体の保護場所が衣類の形状によって固定されてしまい、それを改善すべく収納部を設けてプロテクタを着脱自在とした前述の考案においても、保護部位を十分に考慮していなかったり、体型の個人差を考慮していないことから、身体の保護効果が低いものであった。
【０００８】  本発明は、従来のこれらのプロテクタの装着構造を改良し、身につける人の動きの状況に応じて運動し易くし、着心地のよい衣服として提供すると共に、運動の際の発汗に対応して、通気性を確保することを目的とする。
【課題を解決するための手段】
【０００９】  上記の目的を達成するために、人体の上半身に着用されるプロテクタを装着した保護胴衣において、プロテクタを、少なくとも人体の脊椎を垂直方向に沿って保護する第１のプロテクタと、該第１のプロテクタの下縁に隣接して設けられると共に臀部近傍を保護する第２のプロテクタとで構成させたことを特徴としている。
【００１０】  この内、第１のプロテクタの下縁は、人体の直立状態で水平方向に略直線状の縁部を形成すると共に中央部を下方に突出させて形成されると共に、第２のプロテクタの上縁は、人体の直立状態で水平方向に略直線状の縁部を形成すると共に中央部を前記第１のプロテクタの突出部分と噛み合う状態で凹陥させて形成する。この様に構成することにより、前記第１のプロテクタと第２のプロテクタは、接合部位で露出する衣服の柔軟性によりヒンジを構成することから、第１のプロテクタの下縁と第２のプロテクタの上縁との分離部分を軸として下部プロテクタが胴衣の上方向に折り込み且つ係止できる。これは、自転車やオートバイ等でサドルに搭乗する場合の装着感を改善するものである。尚、第１のプロテクタの下縁中央部の突出部位は、尾骨を覆う位置で且つ適宜な形状で形成されており、第２のプロテクタを使用しない場合でも、必要な個所を十分に保護することが可能である。
【００１１】  本発明に係わるプロテクタは、更に、好ましくは、第１のプロテクタの左右方向に人体の腰部を保護する第３のプロテクタを延設することで、より身体の保護範囲を拡張することが可能である。そして、各プロテクタは、ブロック状の緩衝材を連続して一体的に形成することで緩衝材の接合部位をヒンジとして形状を変化させることが可能であり、装着状態で身体にフィットすると共に身体の動きの変化にも対応する。
【００１２】  本発明に係わるプロテクタの他の実施の形態は、人体の上半身に着用される保護胴衣に使用されるプロテクタであって、前記プロテクタは、少なくとも人体の脊椎を垂直方向に沿って保護する第１のプロテクタと、該第１のプロテクタの左右方向に設けられ且つ腰部を保護する第３のプロテクタとで構成されると共に、前記第１のプロテクタと第３のプロテクタは分離状態で且つ連続的に配置されるように保形される伸縮性を有する帯状部材に取り付けられると共に、該帯状部材の左右の先端部分には、垂直方向に延設された衣類への取付片が形成されている。この構造により、プロテクタを衣服の内側に帯状部材により簡単に取り付けることができると共に、身体の個人差に応じて位置調整を可能とした。
【実施例】
【００１３】  以下、図１乃至図７を参照して、本発明の保護胴衣及びそのプロテクタの基本的な構成および、その機能・使用方法について詳説する。【００１４】  先ず、本発明に係わる保護胴衣Ｙは、主として人体の上半身に着用されるプロテクタを装着した上着としての保護胴衣Ｙであり、この保護胴衣Ｙに好ましくは着脱自在に取り付けられたプロテクタは、少なくとも人体の脊椎を垂直方向に沿って保護する第１のプロテクタ１と、該第１のプロテクタ１の下縁に隣接して設けられると共に臀部近傍を保護する第２のプロテクタ２とで構成されている。図示の例では、更に、第１のプロテクタ１に対して、左右方向に人体の腰部を保護する第３のプロテクタ３が一体的に延設されている。【００１５】  前記プロテクタは、発泡ウレタン等の硬質で若干の柔軟性を備えた材質から成り、平坦な板状体上にブロック状の緩衝材を連続して一体的に形成した形状をなしている。このような形状によりブロック状の緩衝材の接合部位は肉薄のヒンジとして機能することから、この部分で、身体の外形に沿ってプロテクタの形状を変化させることが可能である。また、図７の如く通気孔７を形成することで装着する衣類の通気性を損なわないようにすることが好ましい。【００１６】  実施例のプロテクタは、上記の如く構成したプロテクタの配設個所に応じた胴衣Ｙの内側に収納部Ｙａを形成し、該収納部Ｙａ内にプロテクタを挿入して固着している。この他、後述する形態や、プロテクタに設けた孔へ糸を通して胴衣Ｙに直接、縫着させること等も可能である。【００１７】  前記プロテクタを構成する第１のプロテクタ１の下縁は、人体の直立状態で水平方向に略直線状の縁部を形成すると共に中央部を下方に突出させて突部１ａを形成している。この下縁中央部の突出部位は、少なくとも尾骨の中心部分を覆う位置で且つ適宜な形状で形成されている。一方、第２のプロテクタ２の上縁は、人体の直立状態で水平方向に略直線状の縁部を形成すると共に中央部を前記第１のプロテクタ１の突出部分と噛み合う状態で凹陥させて凹陥部２ａを形成している。【００１８】  そして、前記脊椎に沿って設けた第１のプロテクタ１の下縁と第２のプロテクタ２の上縁との分離部分は、その接合部分では、衣服の生地だけが存在することとなるため、これを軸として下部の第２のプロテクタが胴衣Ｙの上方向に折り込むことが可能である。【００１９】  第２のプロテクタ２を収容する部分は、通常の胴衣Ｙの背面の下縁から舌片状の生地を延設させた形態をなしていて、これを前記の部位で折り畳んだ状態で胴衣Ｙと密着して固定できるよう、胴衣Ｙの表面には面ファスナやホック等の係止部Ｘ１．Ｘ２が設けられている。【００２０】  図６は、本発明の第２の実施例を示している。この実施例のプロテクタは、胴衣Ｙに対して着脱自在に構成されたものである。【００２１】  前記プロテクタは、少なくとも人体の脊椎を垂直方向に沿って保護する第１のプロテクタ１と、該第１のプロテクタ１の左右方向に設けられ且つ腰部を保護する第３のプロテクタ３とで構成されている。【００２２】  これは、前述の実施例のプロテクタと同様であるが、この例のプロテクタは、第１実施例が一体的に形成したのに対して、若干の間隔を空���て第１のプロテクタ１と第３のプロテクタ３とを分離状態で形成している。そして、各プロテクタは、連続的に配置されるように保形される伸縮性を有する帯状部材４に取り付けられており、該帯状部材４の左右の先端部分には、垂直方向に延設された衣類への取付片４ａが形成されている。この取付片４ａには、面ファスナ等の係止部５が設けられていて、これと対応する胴衣Ｙの内側部分に受け部（図示せず）を設けることで、胴衣Ｙに対してプロテクタを簡単に取り付けることが可能である。【００２３】  また、この実施例では、第２のプロテクタ２が布袋等に収納され、例えば、チャックのような直線状の係止部Ｙ１・Ｙ２で帯状部材４に固定されており、前述の実施例と同様にこの係止部Ｙ１・Ｙ２を軸として、折り畳みが可能な形態としている。【００２４】  本発明に係わるプロテクタ並びにプロテクタを装着した胴衣Ｙを使用するには、歩行等の状態では、図示の如く、第２のプロテクタ２を垂下させた状態で使用し、自転車やオートバイのサドルに搭乗する場合、着座する場合等には、第２のプロテクタ２を上方向に折り畳んで係止させて使用する。これにより、運動の形態に応じて、違和感なくプロテクタを使用することが可能である。【００２５】  本発明に係わる人体の脊椎部分に使用される好ましい実施形態は、図７の説明図に示されている。この実施例のプロテクタは、少なくとも人体の脊椎を垂直方向に沿って保護する第１のプロテクタ１と、該第１のプロテクタ１の下縁に隣接して別体に設けられると共に臀部近傍を保護する第２のプロテクタ２とで構成されている。実施例では、更に、頚椎の保護用として第２のプロテクタ２が上部に取り付けられている。【００２６】  この実施例において、前記第１のプロテクタ１と第２のプロテクタ２は分離状態で且つ連続的に配置されるように保形される伸縮性を有する帯状部材４に取り付けられると共に、隣接するプロテクタの一方側の隅部へ切欠部６を設けることで、プロテクタを垂直面内の回動を可能とし、人体の動きに併せて柔軟に変形できるように構成させている。
【発明の効果】
【００２７】  本発明の保護胴衣及びそのプロテクタは、前述の如く、歩行等の状態では、臀部を保護する第２のプロテクタを垂下させた状態で使用するので、転倒等の際に衝撃を緩和し、人体への損傷を効果的に防ぐことができる。また、自転車やオートバイのサドルに搭乗する場合や、椅子等に着座する場合等には、第２のプロテクタを上方向に折り畳んで係止させて使用できるので、この部分が運動の妨げになることがなく、各種の運動の形態に応じて、違和感なくプロテクタを使用することが可能である。また、本発明の他の実施形態のプロテクタにおいては、胴衣に対する着脱が簡単であり、メンテナンスが容易であると共に、分割構造としたプロテクタであることから、装着時の通気性を確保することができる。
【図面の簡単な説明】
【００２８】
【図１】本発明に係わる第１実施例の保護胴衣の説明のために一部を透視した正面図
【図２】本発明に係わる第１実施例の保護胴衣の説明のために一部を透視した背面図
【図３】本発明に係わる第１実施例の保護胴衣の説明のために一部を透視した背面の展開図
【図４】本発明に係わる第１実施例の保護胴衣の使用状態を示す説明図
【図５】本発明に係わる第１実施例の保護胴衣の使用状態を示す説明図
【図６】本発明に係わる第２実施例のプロテクタを説明するための一部を透視した保護胴衣の背面の展開図
【図７】本発明に係わる第３実施例のプロテクタを説明するための正面図
【符号の説明】
【００２９】Ｙ    保護胴衣
Ｙａ  収納部
１    第１のプロテクタ
１ａ  突部
２    第２のプロテクタ
２ａ  凹陥部
３    第３のプロテクタ
４    帯状部材
４ａ  取付片
５    係止部
６    切欠部
７    通気孔
Ｘ１  係止部
Ｘ２  係止部
【図１】
2006257615.tif 000003
【図２】
2006257615.tif 000004
【図３】
2006257615.tif 000005
【図４】
2006257615.tif 000006
【図５】
2006257615.tif 000007
【図６】
2006257615.tif 000008
【図７】
2006257615.tif 000009